(57)【要約】【課題】ＮＦＣを利用してマルチメディアデータを送受信するための装置及び方法を提供する。【解決手段】本発明は、送信装置と受信装置とがＮＦＣ通信セットアップを通してマルチメディアデータを伝送するために近距離通信接続に必要な接続情報を相互交換し、相互交換された接続情報を利用して装置との間の近距離通信接続を遂行した後、マルチメディアデータを送受信することで、ユーザがＮＦＣ通信セットアップのための一回のタッチでマルチメディアデータを共有できるようになる。【選択図】図２
2013172458.tif 000002
【特許請求の範囲】
【請求項１】
ＮＦＣ（Near Field Communication）を利用したマルチメディアデータ送信装置であって、
ＮＦＣ通信を遂行するＮＦＣ通信部と、
近距離通信を遂行する近距離通信部と、
マルチメディアデータ送受信のために、前記ＮＦＣ通信部を通して近距離通信をするために使用される通信セットアップ情報をマルチメディアデータ受信装置に伝達し、前記マルチメディアデータ受信装置と近距離通信とを接続して、接続された前記近距離通信を通して前記マルチメディアデータ送受信を主導するグループ所有者を設定した後、前記マルチメディアデータ受信装置のアドレス情報を獲得して、獲得した前記アドレス情報を通して前記マルチメディアデータ受信装置とのデータ送受信を遂行する制御部と、を含むことを特徴とするマルチメディアデータ送信装置。
【請求項２】
前記通信セットアップ情報は、
伝達しようとするマルチメディアデータのファイル情報と前記マルチメディアデータ送信装置のアドレス情報とを含むことを特徴とする請求項１に記載のマルチメディアデータ送信装置。
【請求項３】
前記マルチメディアデータ送信装置のアドレス情報は、
前記マルチメディアデータ送信装置のＭＡＣ（Media Access Control）アドレス及びＳＳＩＤ（Service Set IDentification）のうちいずれか一つを含むことを特徴とする請求項２に記載のマルチメディアデータ送信装置。
【請求項４】
前記制御部は、
前記マルチメディアデータ受信装置から前記マルチメディアデータ受信装置が前記グループ所有者でないことを示す情報を受信すると、前記マルチメディアデータ送信装置を前記グループ所有者として設定することを特徴とする請求項１に記載のマルチメディアデータ送信装置。
【請求項５】
少なくとも一つのマルチメディアデータ受信装置に対するアドレス情報を含むクライアントアドレスリストを生成するクライアント管理部をさらに含むことを特徴とする請求項４に記載のマルチメディアデータ送信装置。
【請求項６】
前記制御部は、
前記近距離通信接続されたマルチメディアデータ受信装置のアドレス情報と前記生成されたクライアントアドレスリストとを前記マルチメディアデータ受信装置に伝達することを特徴とする請求項５に記載のマルチメディアデータ送信装置。
【請求項７】
マルチメディアデータ受信装置において、ＮＦＣ（Near Field Communication）を利用してマルチメディアデータを受信するための方法であって、
マルチメディアデータ送受信のためにＮＦＣ通信を通じて、近距離通信をするために使用される通信セットアップ情報をマルチメディアデータ送信装置から受信するステップと、
受信された前記通信セットアップ情報を利用して前記マルチメディアデータ送信装置との近距離通信を接続するステップと、
前記接続された近距離通信を通して前記マルチメディアデータ送受信を主導するグループ所有者を設定するステップと、
前記マルチメディアデータ送信装置とのデータ送受信を遂行するステップと、を含むことを特徴とするマルチメディアデータ受信方法。
【請求項８】
前記通信セットアップ情報は、
伝達しようとするマルチメディアデータのファイル情報と前記マルチメディアデータ送信装置のアドレス情報とを含むことを特徴とする請求項７に記載のマルチメディアデータ受信方法。
【請求項９】
前記マルチメディアデータ送信装置のアドレス情報は、
前記マルチメディアデータ送信装置のＭＡＣ（Media Access Control）アドレス及びＳＳＩＤ（Service Set IDentification）のうちいずれか一つを含むことを特徴とする請求項８に記載のマルチメディアデータ受信方法。
【請求項１０】
前記マルチメディアデータ送信装置のアドレス情報を利用して前記マルチメディアデータ受信装置の周辺をスキャンした後、前記マルチメディアデータ送信装置を探索するステップをさらに含むことを特徴とする請求項８に記載のマルチメディアデータ受信方法。
【請求項１１】
前記マルチメディアデータ送信装置を前記グループ所有者として固定させるために、前記マルチメディアデータ受信装置が前記グループ所有者でないことを示す情報を前記マルチメディアデータ送信装置に伝達するステップをさらに含むことを特徴とする請求項７に記載のマルチメディアデータ受信方法。
【請求項１２】
前記マルチメディアデータ送信装置から前記マルチメディアデータ受信装置のアドレス情報と近距離通信接続された少なくとも一つのクライアント装置のアドレス情報とを含むクライアントアドレスリストを受信するステップをさらに含むことを特徴とする請求項７に記載のマルチメディアデータ受信方法。
【発明の詳細な説明】
【技術分野】
【０００１】
本発明は、データ送受信装置及び方法に関し、特に、ＮＦＣ(Near Field Communication)を利用してマルチメディアデータを送受信するための装置及び方法に関する。
【背景技術】
【０００２】
電子装置間で直観的な接続(intuitive link）を可能にする近距離無線通信(Near Field Communication:ＮＦＣ）は、ＲＦＩＤ関連技術に基づいて、非接触式認証とアドホック（Ａｄ−Ｈｏｃ）ネットワーキング技術とを結合した先進的無線通信応用技術である。
【０００３】
ＮＦＣ技術の直観的な接続は、ユーザが２個のＮＦＣ装置を接近させることだけで、電話番号、又は電子商取引などに必要な情報を容易かつ安全に伝送し、複雑な環境設定過程に対するユーザの介入無しで情報交換と相互作用とができるようになる。
【０００４】
最近では、大部分の電子装置にＮＦＣを搭載して各電子装置の相互タッチを通し決済のような機能を遂行する。
【０００５】
上記のように、従来では、ＮＦＣを搭載した電子装置を利用して電話番号、電子商取引などに必要な情報を相互交換していた。
【０００６】
しかしながら、従来のＮＦＣ機能は、決済のための情報交換に限定されている。
【０００７】
また、従来では、非常に少ないデータだけをやりとりすることができるだけで、移動端末のようなモバイル装置の間の通信接続を通してマルチメディアデータを伝送するのは難しいという問題点があった。
【先行技術文献】
【特許文献】
【０００８】
【特許文献１】韓国公開特許第２０１１−００５３９９２号公報
【発明の概要】
【発明が解決しようとする課題】
【０００９】
したがって、本発明は、上述した従来技術の問題点を解決するために提案されたものであり、本発明では、ＮＦＣを利用してマルチメディアデータを送受信するための装置及び方法を提供する。
【課題を解決するための手段】
【００１０】
上記のような目的を達成するために、本発明は、ＮＦＣ(Near Field Communication)を利用したマルチメディアデータ送信装置であって、ＮＦＣ通信を遂行するＮＦＣ通信部と、近距離通信を遂行する近距離通信部と、マルチメディアデータ送受信のために、上記ＮＦＣ通信部を通して近距離通信をするために使用される通信セットアップ情報を上記クライアント装置に伝達し、上記クライアント装置と近距離通信とを接続し、上記接続された近距離通信を通して上記マルチメディアデータ送受信を主導するグループ所有者を設定した後、上記クライアント装置のアドレス情報を獲得して上記獲得したアドレス情報を通して上記クライアントとのデータ送受信を遂行する制御部と、を含むことを特徴とする。
【００１１】
また、本発明は、マルチメディアデータ送信装置において、ＮＦＣ(Near Field Communication)を利用してマルチメディアデータを送信する方法であって、マルチメディアデータ送受信のために、ＮＦＣ通信を通して近距離通信をするために使用される通信セットアップ情報をクライアント装置に伝達するステップと、上記クライアント装置と近距離通信とを接続するステップと、上記接続された近距離通信を通して上記マルチメディアデータ送受信を主導するグループ所有者を設定するステップと、上記クライアント装置のアドレス情報を獲得して、上記獲得したアドレス情報を通して上記クライアントとのデータ送受信を遂行するステップと、を含むことを特徴とする。
【００１２】
さらに、本発明は、ＮＦＣ(Near Field Communication)を利用したマルチメディアデータ受信装置であって、ＮＦＣ通信を遂行するＮＦＣ通信部と、近距離通信を遂行する近距離通信部と、マルチメディアデータ送受信のために、近距離通信をするために使用される通信セットアップ情報をマルチメディアデータ送信装置から受信し、上記受信された通信セットアップ情報を利用して上記マルチメディアデータ送信装置との近距離通信を接続し、上記接続された近距離通信を通して上記マルチメディアデータ送受信を主導するグループ所有者を設定した後、上記マルチメディアデータ送信装置とのデータ送受信を遂行する制御部と、を含むことを特徴とする。
【００１３】
また、本発明は、マルチメディアデータ受信装置においてＮＦＣ(Near Field Communication)を利用してマルチメディアデータを受信するための方法であって、マルチメディアデータ送受信のために、ＮＦＣ通信を通して近距離通信をするために使用される通信セットアップ情報をマルチメディアデータ送信装置から受信するステップと、上記受信された通信セットアップ情報を利用して上記マルチメディアデータ送信装置との近距離通信を接続するステップと、上記接続された近距離通信を通して上記マルチメディアデータ送受信を主導するグループ所有者を設定するステップと、上記マルチメディアデータ送信装置とのデータ送受信を遂行するステップと、を含むことを特徴とする。
【発明の効果】
【００１４】
本発明は、ＮＦＣタッチを通して直観的かつ簡単に装置の間でマルチメディアコンテンツを共有することができるという利点がある。
【００１５】
また、本発明は、ＮＦＣタッチのような単純な接続動作を通してマルチメディアデータコンテンツを複数のユーザと容易に共有することができる。
【図面の簡単な説明】
【００１６】
【図１】本発明の実施形態によるデータ送受信装置の構成図を示す図面である。
【図２】本発明の実施形態による装置の間のデータ送受信のための過程を示す信号フローチャートである。
【図３】本発明の実施形態による送信装置で受信装置とのデータ送受信のための過程を示すフローチャートである。
【図４】本発明の実施形態による受信装置で送信装置とのデータ送受信のための過程を示すフローチャートである。
【図５】本発明の実施形態による送信装置が２個以上の受信装置とのデータ送受信のための過程を示す信号フローチャートである。
【図６】本発明の実施形態によるＮＦＣ通信を利用してマルチメディアデータ送受信装置の間のマルチメディアデータを送受信することを説明するための例示図である。
【発明を実施するための形態】
【００１７】
以下、本発明の好適な実施形態について添付図面を参照しながら詳細に説明する。図面における同様な構成要素に対しては、他の図面に図示されても、同様な参照番号及び符号を付けてあることに注意されたい。下記の説明において、本発明の要旨のみを明瞭にするために、関連した公知の機能や構成についての具体的な説明は、適宜省略する。
【００１８】
本発明は、送信装置と受信装置とがＮＦＣ通信セットアップを通してマルチメディアデータを伝送するために、近距離通信接続に必要な接続情報を相互交換し、相互交換された接続情報を利用して装置の間の近距離通信接続を遂行した後、マルチメディアデータを送受信することで、ユーザがＮＦＣ通信セットアップのための一度のタッチだけでマルチメディアデータを共有することができることになる。
【００１９】
図１は、本発明の実施形態によるデータ送受信装置の構成図を示す図面である。
【００２０】
本発明のデータ送受信装置は、制御部１０、入力部２０、表示部３０、ＮＦＣ通信部４０、近距離通信部５０、クライアント管理部６０、貯蔵部７０とを含む。図１は、データ送信装置を示した図面であるが、データ受信装置の場合にも同じ構成要素を有する。
【００２１】
本発明の実施形態では、マルチメディアデータを送信する装置を送信装置として定義し、マルチメディアデータを受信する装置を受信装置として定義して説明する。
【００２２】
まず、送信装置の側面からみると、制御部１０は、送信装置の一般的な動作を制御する。特に送信装置から受信装置にマルチメディアデータを伝達するために、送信装置と受信装置間とのＮＦＣ(Near Field Communication)通信セットアップのためのタッチがあれば、ＮＦＣ通信部４０を通して送信装置と受信装置間とのＮＦＣ通信を接続する。
【００２３】
制御部１０は、接続されたＮＦＣ通信を通して、伝達しようとするマルチメディアデータに対するファイル情報と送信装置のアドレス情報とを受信装置に伝達して、近距離通信接続のための近距離通信部５０を作動する。この場合、マルチメディアデータに対するデータ情報は、ファイル名、ファイル経路などを含み、アドレス情報は送信装置のＭＡＣ(Media Access Control)アドレスまたはＳＳＩＤ(Service Set IDentification)とを含む。
【００２４】
ここで、近距離通信は、Ｗｉ−Ｆｉ、ブルートゥース(BlueTooth（登録商標）)、Ｗｉ−Ｆｉダイレクト(Wi-Fi Direct)を含む。本発明の実施形態ではＷｉ−Ｆｉダイレクト(Wi-Fi Direct)の利用を例として説明する。
【００２５】
受信装置から近距離通信を接続するための接続試行があれば、制御部１０は、送信装置と受信装置との間のグループ所有者(Group Owner)を設定し、グループ所有者の所有者アドレス情報を装置の間に共有する。ここで、グループ所有者は、２個以上の装置間にデータ通信のためのグループ通信が接続された場合、グループ通信を主導しながら接続されたクライアント装置を管理する装置を意味する。
【００２６】
本発明の実施形態では、データを伝達しようとする送信装置をグループ所有者として設定することを例として説明する。
【００２７】
具体的に、制御部１０は、送信装置をグループ所有者として設定するために、受信装置がグループ所有者でないという情報と共に、暗号化方式を指定するための情報を含むグループ所有者設定情報を受信装置から受信する。
【００２８】
制御部１０は、受信されたグループ所有者設定情報を通して送信装置をグループ所有者として設定し、グループ所有者の所有者アドレス情報、例えば、所有者ＩＰ情報を受信装置に伝達して送信装置と受信装置とが所有者アドレス情報を共に共有するようにする。
【００２９】
制御部１０は、受信装置から近距離通信接続要請があれば、近距離通信部５０を通して受信装置との近距離通信接続を遂行する。この時、受信装置は共有された所有者アドレス情報を利用して送信装置に近距離通信接続を要請することができる。
【００３０】
受信装置との近距離通信接続が完了すれば、制御部１０は、クライアント管理部６０を通して近距離通信接続された一つ以上のクライアント装置に対するアドレス情報を獲得して、クライアントアドレスリストを生成する。この時、クライアント装置に対するアドレス情報は、クライアント装置のＩＰアドレスを意味する。
【００３１】
制御部１０は、近距離通信部５０を通して受信装置のアドレス情報と共にクライアントアドレスリストを受信装置に伝達する。
【００３２】
以後、制御部１０は、伝達しようとするマルチメディアデータを近距離通信で接続された受信装置に伝達する。例えば、制御部１０は、貯蔵部７０に貯蔵されたマルチメディアデータを読み出して受信装置に伝達することができ、また、画面に表示中のマルチメディアデータを受信装置に伝達することもできる。
【００３３】
入力部２０は、キーパッド(Key pad）からなることができ、複数の数字または文字入力キーとユーザとのインターフェースのための機能キー及び通話のためのキーなどを備える。
【００３４】
表示部３０は、ＬＣＤ(Liquid Crystal Display）等からなることができ、移動通信端末機から発生される各種表示データ及び文字メッセージなどを出力する。
【００３５】
ＮＦＣ通信部４０は、送信装置に含まれたＮＦＣチップを通して外部装置と接触すると、外部装置との近距離通信ができるように通信セットアップに必要なデータをやりとりする。
【００３６】
近距離通信部５０は、送信装置に含まれたブルートゥースモジュールまたはＷｉ−Ｆｉモジュール、またはＷｉ−Ｆｉダイレクトモジュールを利用して外部装置との近距離通信を遂行する。
【００３７】
クライアント管理部６０は、近距離通信接続された一つ以上のクライアント装置に対するアドレス情報を管理して、一つ以上のクライアント装置に対するアドレス情報を含むクライアントアドレスリストを生成する。ここで、クライアント装置は、近距離通信接続された装置のうちからグループ所有者として設定された装置を除外した残りの装置を意味する。
【００３８】
貯蔵部７０は、送信装置で使用される複数のプログラムとデータとを貯蔵するが、特に、少なくとも一つのマルチメディアデータを貯蔵する。
【００３９】
次に、受信装置の側面から見ると、制御部１０は、受信装置の一般的な動作を制御するが、特に、送信装置から受信装置にマルチメディアデータを伝達するために送信装置と受信装置との間のＮＦＣ通信セットアップのためのタッチがあれば、ＮＦＣ通信部４０を通して送信装置と受信装置との間のＮＦＣ通信を接続する。
【００４０】
制御部１０は、送信装置からマルチメディアデータに対するファイル情報と送信装置のアドレス情報とが受信されると、近距離通信接続のための近距離通信部５０を作動する。
【００４１】
制御部１０は、送信装置に近距離通信の接続を試みて送信装置と受信装置との間のグループ所有者を設定して、送信装置からグループ所有者の所有者アドレス情報を受信する。
【００４２】
具体的には、制御部１０は、送信装置をグループ所有者として設定するために受信装置がグループ所有者ではないという情報と共に、暗号化方式を指定するための情報を含むグループ所有者設定情報を送信装置に伝達する。以後、制御部１０は、送信装置からグループ所有者の所有者アドレス情報、例えば、所有者ＩＰ情報を送信装置から受信して送信装置と受信装置とが所有者アドレス情報を共有することができる。
【００４３】
制御部１０は、共有された所有者アドレス情報を利用して送信装置に近距離通信接続を要請して、送信装置との近距離通信接続を遂行する。
【００４４】
送信装置との近距離通信接続が完了すれば、制御部１０は、送信装置から受信装置のアドレス情報と共に、近距離通信接続された一つ以上のクライアント装置に対するアドレス情報を含むクライアントアドレスリストを受信する。
【００４５】
以後、制御部１０は、近距離通信部５０を通して送信装置からマルチメディアデータを受信する。この時、本発明では受信装置がクライアントアドレスリストを有しているために他の装置のアドレス情報を利用して受信されたマルチメディアデータを他の装置に伝達することで、複数の装置がマルチメディアデータを共有するようにすることができる。
【００４６】
入力部２０は、キーパッド(Key pad）等からなることができ、複数の数字または文字入力キーとユーザとのインターフェースのための機能キー及び通話のためのキーなどを備える。
【００４７】
表示部３０は、ＬＣＤ(Liquid Crystal Display）等からなることができ、移動通信端末機から発生される各種表示データ及び文字メッセージなどを出力する。
【００４８】
ＮＦＣ通信部４０は、送信装置に含まれたＮＦＣチップを通して外部装置と接触すると、外部装置との近距離通信ができるように通信セットアップに必要なデータをやりとりする。
【００４９】
近距離通信部５０は、送信装置に含まれたブルートゥースモジュールまたはＷｉ−ＦｉモジュールまたはＷｉ−Ｆｉダイレクトモジュールを利用して外部装置との近距離通信を遂行する。
【００５０】
貯蔵部７０は、受信装置で使用される複数のプログラムとデータとを貯蔵するが、特に、少なくとも一つのマルチメディアデータを貯蔵する。
【００５１】
本発明の実施形態において、受信装置は、クライアント管理部６０を除いて送信装置と類似な構成要素を含む。
【００５２】
このように、本発明は、ＮＦＣタッチのような単純な接続動作を通して、マルチメディアデータコンテンツを複数のユーザと容易に共有することができる。
【００５３】
図２は、本発明の実施形態による装置の間のデータ送受信のための過程を示す信号フローチャートである。
【００５４】
本発明の実施形態では、送信装置を第１の装置１００として、受信装置を第２の装置１１０として説明することにする。また、本発明の実施形態では、第１の装置１００で現在ディスプレイ中のイメージファイルを第２の装置１１０に伝達するための過程を挙げて説明する。
【００５５】
ステップ２００で、第１の装置１００と第２の装置１１０は、第１の装置１００で現在ディスプレイ中のイメージファイルを第２の装置１１０に伝送するために、第１の装置１００と第２の装置１１０との間のＮＦＣ通信セットアップのためのタッチを遂行する。
【００５６】
このようなＮＦＣ通信セットアップのためのタッチは、ＮＦＣ通信のためのＮＦＣチップを備える装置の相互の距離をＮＦＣ通信のためにあらかじめ設定された距離にすることで装置間のデータ交換を可能にする。
【００５７】
ステップ２０１で、第１の装置１００は、伝達しようとするイメージファイルのデータ情報と第１の装置１００のアドレス情報とを第２の装置１１０に伝達した後、ステップ２０２で、第１の装置１００の近距離通信接続を作動して、ステップ２０３で、第２の装置１１０の近距離通信接続を作動する。
【００５８】
ステップ２０４で、第２の装置１１０は、受信された第１の装置１００のアドレス情報を利用して接続しようとする装置を探索する。この時、第２の装置１１０は、Ｗｉ−Ｆｉダイレクト通信の装置探索を通し、周辺に位置する装置のアドレス情報をスキャンして、接続しようとする装置を探索することができる。
【００５９】
ステップ２０５で、第２の装置１１０は、探索された装置、すなわち、第１の装置１００に近距離通信接続を試みる。
【００６０】
ステップ２０６で、第１の装置１００と第２の装置１１０とは近距離通信のためのグループ所有者を設定する。
【００６１】
具体的に、第２の装置１１０は、イメージファイルを伝送するための第１の装置１００をグループ所有者として設定するために、第２の装置１１０がグループ所有者でないことを示す情報と共に、暗号化方式を指定するための情報を第１の装置１００に伝達する。例えば、第２の装置は、常に、第１の装置１００がグループ所有者であることを示す、GroupOwner:yesと第２の装置１１０がグループ所有者でないことを示すGroupOwner:noを示す値に該当するWifiP2pConfig.GroupOwnerIntent=0値と共に、暗号化方式指定のためのWifiP2pConfig.setup=WpsInfo.PBC値を伝達する。
【００６２】
ステップ２０７で、第２の装置１１０は、第１の装置１００に近距離通信接続を遂行して第１の装置１００と第２の装置１１０との間の近距離通信が接続される。
【００６３】
ステップ２０８で、第１の装置１００は、接続された第２の装置１１０のアドレス情報を獲得してクライアントアドレスリストを生成する。この時、生成されたクライアントアドレスリストは、第２の装置１１０のアドレス情報だけでなく、第１の装置１００に接続されたクライアント装置に対するアドレス情報を含むことができる。
【００６４】
ステップ２０９で、第１の装置１００は、第２の装置１１０のアドレス情報と共にクライアントアドレスリストを第２の装置１１０に伝達する。
【００６５】
ステップ２１０で、第１の装置１００は、第２の装置１１０とのデータ送受信を遂行する。
【００６６】
具体的に、本発明の実施形態では、第１の装置１００は、サーバの役割を遂行し、第２の装置１１０は、クライアントの役割を遂行する。第１の装置１００は、画面に表示中のイメージファイルを接続された近距離通信を利用して第２の装置１１０に伝達し、イメージファイルを受信した第２の装置１１０は、受信されたイメージファイルを画面に表示することで、第１の装置１００と第２の装置１１０との間のデータ共有が可能である。
【００６７】
このように、本発明では、ＮＦＣタッチのような単純な接続動作を通してマルチメディアデータコンテンツを複数のユーザと容易に共有することができる。
【００６８】
図３は、本発明の実施形態による第１の装置で一つ以上の他の装置とのデータ送受信のための過程を示すフローチャートである。
【００６９】
ステップ３００で、制御部１０は、ＮＦＣ通信セットアップ要請があるか否かを判断して、ＮＦＣ通信セットアップ要請があると、ステップ３０１に進行し、そうでないと、ステップ３００でＮＦＣ通信セットアップ要請があるか否かを継続的に判断する。
【００７０】
ステップ３０１で、制御部１０は、第１の装置のアドレス情報と伝達しようとするデータ情報とを一つ以上のクライアント装置に伝達する。この時、一つ以上のクライアント装置は、第２の装置１１０を含む。
【００７１】
ステップ３０２で、制御部１０は、近距離通信接続を作動して近距離通信部５０が動作するようにする。
【００７２】
ステップ３０３で、制御部１０は、一つ以上の他の装置から近距離通信接続試行があるか否かを判断し、他の装置から近距離通信接続試行があると、ステップ３０４に進行し、そうでないとステップ３０３で一つ以上の他の装置から近距離通信接続試行があるか否かを継続的に判断する。
【００７３】
ステップ３０４で、制御部１０は、第１の装置１００と一つ以上の他の装置との間のグループ所有者を設定する。この時、制御部１０は、一つ以上の他の装置から一つ以上の他の装置１１０がグループ所有者でないことを示す所有者設定情報を受信し、受信された所有者設定情報を通して第１の装置１００をグループ所有者として設定する。以後、制御部１０は、グループ所有者のアドレス情報を一つ以上の他の装置に伝達する。
【００７４】
ステップ３０５で、制御部１０は、第１の装置１００と一つ以上の他の装置との間の近距離通信を接続する。この時、第１の装置１００はグループ所有者として、一つ以上の他の装置は一つ以上のクライアント装置として設定される。
【００７５】
ステップ３０６で、制御部１０は、近距離通信接続された一つ以上のクライアント装置に対するアドレス情報を獲得してクライアントアドレスリストを生成する。この時、制御部１０は、第２の装置１１０のアドレス情報を獲得するが、第２の装置１１０のＩＰレイヤモジュールを通して第２の装置１１０のＩＰアドレスを獲得することができる。
【００７６】
ステップ３０７で、制御部１０は、一つ以上の各クライアント装置に生成されたクライアントアドレスリストと各クライアント装置のアドレス情報とを伝達する。
【００７７】
ステップ３０８で、制御部１０は、各クライアント装置にマルチメディアデータを伝達する。
【００７８】
このように、本発明では、ＮＦＣタッチのような単純な接続動作を通して、マルチメディアデータコンテンツを複数のユーザと容易に共有することができる。
【００７９】
図４は、本発明の実施形態による受信装置で送信装置とのデータ送受信のための過程を示すフローチャートである。
【００８０】
本発明の実施形態では、マルチメディアデータを伝達しようとする装置が第１の装置であることを例にして説明するようにする。
【００８１】
ステップ４００で、制御部１０は、第１の装置１００にＮＦＣ通信セットアップを要請する。ここで、ＮＦＣ通信セットアップを要請することは、第１の装置１００と第２の装置１１０との間のＮＦＣ通信セットアップのためにあらかじめ設定された距離に近づいた場合に行われることができる。
【００８２】
ステップ４０１で、制御部１０は、第１の装置１００から、第１の装置１００のアドレス情報と第１の装置１００から受信しようとするマルチメディアデータの情報を受信する。
【００８３】
ステップ４０２で、制御部１０は、近距離通信接続のために近距離通信部５０を作動する。
【００８４】
ステップ４０３で、制御部１０は、第１の装置１００に近距離通信接続を試みる。この時、制御部は、第１の装置１００から受信された第１の装置１００のアドレス情報を利用して接続しようとする装置を探索し、探索された第１の装置１００に近距離通信接続を試みる。
【００８５】
ステップ４０４で、制御部１０は、第１の装置１００と第２の装置１１０との間のグループ所有者を設定する。具体的に、制御部１０は、マルチメディアデータを伝送しようとする第１の装置１００をグループ所有者として固定させるために第２の装置１１０がグループ所有者でないことを示す情報を第１の装置１００に伝送する。例えば、制御部１０は、常に、第１の装置１００がグループ所有者であることを示すGroupOwner:yesと第２の装置１１０がグループ所有者でないことを示すGroupOwner:noを示す値に該当するWifiP2pConfig.groupOwnerIntent=0値と共に、暗号化方式指定のためのWifiP2pConfig.wps.setup=WpsInfo.PBC値を伝達する。
【００８６】
ステップ４０５で、制御部１０は、第１の装置１００に近距離通信を接続する。
【００８７】
ステップ４０６で、制御部１０は、第１の装置１００からクライアントアドレスリスト及び第２の装置１１０のアドレス情報を受信する。この時、制御部１０は、第１の装置１００から受信されたアドレス情報を通して、第１の装置１００のＩＰアドレスのようなアドレス情報が分かるようになる。
【００８８】
ステップ４０７で、制御部１０は、第１の装置１００からマルチメディアデータを送受信するが、第１の装置１００だけでなく、他の装置とのマルチメディアデータ送受信を遂行する。
【００８９】
このように、本発明では、ＮＦＣタッチのような単純な接続動作を通してマルチメディアデータコンテンツを複数のユーザと容易に共有することができるようになる。
【００９０】
本発明では、一対一通信だけでなく、一対多通信を接続してマルチメディアデータを共有できるが、これに対しては具体的に図５を参照して述べられる。
【００９１】
図５は、本発明の実施形態による送信装置が二以上の受信装置とのデータ送受信のための過程を示す信号フローチャートである。
【００９２】
本発明の実施形態では、グループ所有者５００と第１のクライアント５０１、第２のクライアント５０２、第３のクライアント５０３間のマルチメディアデータ送受信のためのＮＦＣ通信接続及び近距離通信接続が遂行された以後を例にして説明する。この時、ＮＦＣ通信接続及び近距離通信接続は、図２乃至図４を通して説明した過程と同一である。これを通じて本発明は、グループ所有者と各クライアントとの間のデータ共有だけでなく、各クライアントとの間のデータ共有が可能になる。
【００９３】
ステップ６００で、グループ所有者５００は、第１のクライアント５０１と近距離通信接続を遂行し、ステップ６０１及びステップ６０２でも第２のクライアント及び第３のクライアントとの近距離通信接続を遂行する。
【００９４】
ステップ６０３で、グループ所有者５００は、近距離通信接続された第１のクライアント５０１、第２のクライアント５０２、第３のクライアント５０３に対したアドレス情報を獲得した後、獲得されたアドレス情報を含むクライアントアドレスリストを生成する。
【００９５】
ステップ６０４で、グループ所有者５００は、第１のクライアント５０１に第１のクライアントアドレス情報及びクライアントアドレスリストを伝達する。
【００９６】
ステップ６０５で、グループ所有者５００は、第２のクライアント５０２に第２のクライアントアドレス情報及びクライアントアドレスリストを伝達する。
【００９７】
ステップ６０６で、グループ所有者５００は、第３のクライアント５０３に第３のクライアントアドレス情報及びクライアントアドレスリストを伝達する。
【００９８】
ステップ６０７で、グループ所有者５００は、データ送受信を遂行して、第１のクライアント５０１、第２のクライアント５０２、第３のクライアント５０３にマルチメディアデータを伝達する。この時、データ送受信ステップは、最初１回のマルチメディアデータの送受信が完了した以後に双方向に遂行することができる。例えば、第１のクライアント５０１からグループ所有者５００へのデータ送受信が可能である。
【００９９】
また、各装置は、一対一通信だけでなく、一対多通信である場合にも、相互間にマルチメディアデータ送受信を自由にすることができる。例えば、第２のクライアント５０２と第３のクライアント５０３とは、第１のクライアント５０１とＮＦＣタッチを通して、ＮＦＣ通信接続及び近距離通信接続を遂行して第１のクライアント５０１と、第２のクライアント５０２及び第３のクライアント５０３間のマルチメディアデータ共有が可能である。このように、第１のクライアント５０１と、第２のクライアント５０２及び第３のクライアント５０３間のマルチメディアデータを共有する場合、第１のクライアント５０１は、クライアントアドレスリスト乃至第２のクライアントアドレス情報及び第３のクライアントアドレス情報を利用してマルチメディアデータを伝達することができることになる。
【０１００】
上記の過程を通して、本発明では写真、音楽、ビデオ、文書ファイルのようなマルチメディアデータを各装置の間で自由に送受信することができる。
【０１０１】
図６は、本発明の実施形態によるＮＦＣ通信を利用してマルチメディアデータ送受信装置間のマルチメディアデータを送受信することを説明するための例示図である。
【０１０２】
図６の図面符号６１０のように音楽ファイルの場合、第１の装置１００で、再生中または一時停止中である音楽ファイルを上記の過程を経て、第２の装置１１０に送信し、第２の装置１１０は、受信した音楽ファイルを直ちに再生することで第１の装置１００と第２の装置１１０とが同じ音楽ファイルを再生することができる。
【０１０３】
図６の図面符号６２０のようなビデオファイルの場合、第１の装置１００で再生中または一時停止中であるビデオファイルを上記の過程を経て、第２の装置１１０に送信し、第２の装置１１０は、受信したビデオファイルを直ちに再生することで、第１の装置１００と第２の装置１１０が同じビデオファイルを再生することができる。
【０１０４】
それだけでなく、図６の図面符号６３０のように文書ファイルの場合、第１の装置１００で作成中または表示された文書ファイルを上記の過程を経て第２の装置１１０に送信し、第２の装置１１０は、受信した文書ファイルを直ちに表示することで、第１の装置１００と第２の装置１１０とが同じ文書ファイルを共有することができる。
【０１０５】
このように、本発明は、ＮＦＣタッチのような単純な接続動作を通してマルチメディアデータコンテンツを複数のユーザと容易に共有することができる。
【０１０６】
本発明の実施形態は、ハードウェア、ソフトウェアまたはハードウェア及びソフトウェアの組合の形態で実現可能であることが分かる。このような任意のソフトウェアは、例えば、削除可能または再記録可能であるか否かに関係なく、ＲＯＭなどの貯蔵装置のような揮発性または不揮発性貯蔵装置、または、例えば、ＲＡＭのようなメモリーチップ、メモリー装置またはメモリー集積回路、または例えばＣＤ、ＤＶＤ、磁気ディスクまたは磁気テープなどのような光学または磁気的に記録可能である同時に、機械（例えば、コンピュータ）で読み取り可能な貯蔵媒体に貯蔵されることができる。本発明のマルチメディアデータ送受信方法は、制御部及びメモリーを含むコンピュータまたは携帯端末により具現されることができ、上記メモリーは、本発明の実施形態を具現する指示を含むプログラムまたはプログラムを貯蔵するのに適合した機械で読み取れることができる貯蔵媒体の一例であることが分かる。したがって、本発明は、本明細書の任意の請求項に記載された装置または方法を具現するためのコードを含むプログラム及びこのようなプログラムを貯蔵する機械（コンピュータなど）で読み取り可能な貯蔵媒体を含む。また、このようなプログラムは有線または無線接続を通し伝えられる通信信号のような任意の媒体を通し電子的に伝送でき、本発明はこれと均等なことを適切に含む。
【０１０７】
また、上記送受信装置は有線または無線に接続されるプログラム提供装置から上記プログラムを受信して貯蔵することができる。上記プログラム提供装置は、上記送受信装置が既に設定されたコンテンツ保護方法を遂行するようにする指示を含むプログラム、コンテンツ保護方法に必要な情報などを貯蔵するためのメモリーと、上記送受信装置との有線または無線通信を遂行するための通信部と、上記モバイル装置の要請または自動で該当プログラムを上記送受信装置に伝送する制御部とを含むことができる。
【０１０８】
以上、本発明を具体的な実施形態を参照して詳細に説明してきたが、本発明の範囲及び趣旨を逸脱することなく様々な変更が可能であるということは当業者には明らかであり、本発明の範囲は、上述の実施形態に限定されるべきではなく、特許請求の範囲の記載及びこれと均等なものの範囲内で定められるべきである。
【符号の説明】
【０１０９】
１０  制御部
２０  入力部
３０  表示部
４０  ＮＦＣ通信部
５０  近距離通信部
６０  クライアント管理部
７０  貯蔵部
【図１】
2013172458.tif 000003
【図２】
2013172458.tif 000004
【図３】
2013172458.tif 000005
【図４】
2013172458.tif 000006
【図５】
2013172458.tif 000007
【図６】
2013172458.tif 000008